(57)【要約】【課題】通信ネットワーク監視システムに関し、ＳＮＭＰプロトコルを用いて統合的な監視・管理を行い、被監視装置の警報発生通知を迅速に行い、また、警報発生通知のトラフィック、監視サーバの処理負担を軽減する。【解決手段】ＳＮＭＰ変換装置１−２の配下には、通信ネットワークを構成するシステム（＃１、＃２、・・・）の装置が、被監視装置１−３として設置される。被監視装置１−３で発生した警報情報は、接点オン／オフ情報（ビット情報）としてＳＮＭＰ変換装置１−２により収集され、ＳＮＭＰ変換装置１−２は、該警報情報（接点オン／オフ情報）を論理和演算により集約して、管理情報データベース（ＭＩＢ）情報に変換し、該情報を、標準化された管理情報通告プロトコル（ＳＮＭＰ　ＴＲＡＰ）により、各被監視装置１−３毎のＩＰアドレスを送信元アドレスとして監視サーバ（ＳＮＭＰマネージャ）１−１へ通知する。【選択図】　　　図１
2004086522.tif 000002
【特許請求の範囲】
【請求項１】
ネットワーク上の各被監視装置から各監視項目の警報情報を収集する手段と、
各被監視装置毎に割り当てた互いに異なるＩＰアドレスを送信元ＩＰアドレスとして用い、該各被監視装置から収集した警報情報を、管理情報通告プロトコル（ＳＮＭＰ　ＴＲＡＰ）による通知パケットで、監視サーバへ通知する警報情報送信手段とを備え、
前記監視サーバは、管理情報通告プロトコル（ＳＮＭＰ　ＴＲＡＰ）による通知パケットの送信元ＩＰアドレスを基に、警報情報を発した被監視装置を識別することを特徴とする通信ネットワーク監視システム。
【請求項２】
前記各被監視装置から収集した各監視項目の警報情報を、論理和演算により代表警報情報に集約する警報情報集約手段と、
該集約した代表警報情報を管理情報データベース（ＭＩＢ）　に変換し、前記管理情報通告プロトコル（ＳＮＭＰ　ＴＲＡＰ）により、代表警報情報を前記監視サーバへ通知する警報情報送信手段と
を備えたことを特徴とする請求項１に記載の通信ネットワーク監視システム。
【請求項３】
前記論理和演算により代表警報情報に集約される各被監視装置の監視項目の警報情報に状態変化が発生したことを検出する警報情報状態変化検出手段と、
該警報情報状態変化検出手段により検出した各被監視装置の監視項目の警報情報に状態変化の情報を、前記監視サーバへ通知する警報情報状態変化通知手段とを備えたことを特徴とする請求項２に記載の通信ネットワーク監視システム。
【請求項４】
前記警報情報集約手段は、各被監視装置から収集される各監視項目の警報情報を一定時間に亙って記憶保持し、該一定時間に亙って記憶保持した各監視項目の警報情報を論理和演算により代表警報情報に集約し、
警報情報送信手段は、該集約された代表警報情報を１メッセージの管理情報通告プロトコル（ＳＮＭＰ　ＴＲＡＰ）によるパケットで通知する構成を有することを特徴とする請求項２に記載の通信ネットワーク監視システム。
【請求項５】
前記警報情報状態変化検出手段は、各被監視装置の監視項目の警報情報の状態変化を一定時間に亙って記憶保持し、該一定時間に亙って記憶保持した状態変化の情報を論理和演算により集約し、
前記警報情報状態変化通知手段は、該集約した状態変化の情報を通知する構成を有することを特徴とする請求項３に記載の通信ネットワーク監視システム。
【請求項６】
前記被監視装置毎に又はその種別毎に、前記管理情報通告プロトコル（ＳＮＭＰ　ＴＲＡＰ）による通知先を、それぞれ異なる監視サーバに設定する手段を備えたことを特徴とする請求項１乃至５の何れかに記載の通信ネットワーク監視システム。
【発明の詳細な説明】
【０００１】
【発明の属する技術分野】
本発明は通信ネットワーク監視システムに関し、通信ネットワークを構成する伝送装置の各監視項目の警報情報（接点オン／オフ情報）をＳＮＭＰ（Ｓｉｍｐｌｅ　Ｎｅｔｗｏｒｋ　Ｍａｎａｇｅｍｅｎｔ　Ｐｒｏｔｏｃｏｌ）のプロトコルにより通知する監視システムに関する。
【０００２】
通信ネットワークにはルータ、ハブ、パーソナルコンピュータ等の一般的なネットワーク構成機器から特定用途専用の伝送装置などの種々の通信装置が接続され、それらの通信装置を監観・管理するためのネットワーク管理プロトコルとして“ＳＮＭＰ”という標準化されたプロトコルが存在する。
【０００３】
特定用途専用の伝送装置などにおいては、伝送装置の監視・管理用のインタフェースとして、その特定用途伝送システム又はそのベンダー独自のインターフェースによる監視・管理システムが採用されることがあるが、本発明は、上記標準的なＳＮＭＰのネットワーク管理プロトコルを用いて、通信ネットワークの各監視項目の警報情報（接点オン／オフ情報）を監視サーバ（ＳＮＭＰマネージャ）へ通知する通信ネットワーク監視システムに関する。
【０００４】
【従来の技術】
既存のネットワークの構成装置（被監視装置）からの警報情報（接点オン／オフ情報）をビット情報として取り込み、該警報情報をＳＮＭＰのネットワーク管理プロトコルによるパケットに変換し、監視サーバ（ＳＮＭＰマネージャ）に送信してネットワークの監視・管理を行うために、警報情報をＳＮＭＰネットワーク管理プロトコルに変換するＳＮＭＰ変換装置を備える。
【０００５】
従来のＳＮＭＰ変換装置は、被監視装置から取り込んだ警報情報を、管理情報通告プロトコル（ＳＮＭＰ　ＴＲＡＰ）により、監視サーバ（ＳＮＭＰマネージャ）に送信する際に、送信元アドレスに該ＳＮＭＰ変換装置自体のＩＰアドレスを設定して送信するため、監視サーバ（ＳＮＭＰマネージャ）側では、各被監視装置の警報情報が、同一の被監視装置（“ＳＮＭＰ　ＴＲＡＰ”により通知したＳＮＭＰ変換装置）のＩＰアドレスの警報として管理される。
【０００６】
【発明が解決しようとする課題】
従来のＳＮＭＰ変換装置から、管理情報通告プロトコル（ＳＮＭＰ　ＴＲＡＰ）により通知された警報情報に係る被監視装置を、監視サーバ（ＳＮＭＰマネージャ）側で識別するためには、各被監視装置側及び監視サーバ（ＳＮＭＰマネージャ）側で、各被監視装置を特定するための手段を別途備えなければならなかった。
【０００７】
また、従来のＳＮＭＰ変換装置では、各被監視装置における各監視項目の接点オン／オフ情報の全ビットに対し、管理情報データベース（ＭＩＢ）　の定義を行う場合、被監視装置毎に異なる管理情報データベース（ＭＩＢ）　を用意する必要があり、管理情報データベース（ＭＩＢ）　情報が複雑化し、その管理・保守の面で煩雑な作業が必要であった。
【０００８】
また、各被監視装置の各監視項目の警報情報（接点オン／オフ情報）の全状態変化を、管理情報通告プロトコル（ＳＮＭＰ　ＴＲＡＰ）により通知する場合、該管理情報通告プロトコル（ＳＮＭＰ　ＴＲＡＰ）による送信パケットの多発により、ネットワーク上へのトラフィック輻輳を引き起こし、また、監視サーバ（ＳＮＭＰマネージャ）の処理負担の増大をもたらす原因となっていた。
【０００９】
本発明は、標準化されたＳＮＭＰのネットワーク管理プロトコルを用いた統合的な通信ネットワーク監視システムを構築して、該プロトコルを用いた監視・管理システムに容易に取り込むことができ、また、被監視装置の警報発生の通知を迅速に行い、また、監視サーバ（ＳＮＭＰマネージャ）の分散化により、運用状況に適した通信ネットワーク監視システムを柔軟に構築することができ、また、ネットワーク上のトラフィック、監視サーバ（ＳＮＭＰマネージャ）の処理負担を軽減することができる通信ネットワーク監視システムを提供することを目的とする。
【００１０】
【課題を解決するための手段】
本発明の通信ネットワーク監視システムは、（１）ネットワーク上の各被監視装置から各監視項目の警報情報を収集する手段と、各被監視装置毎に割り当てた互いに異なるＩＰアドレスを送信元ＩＰアドレスとして用い、該各被監視装置から収集した警報情報を、管理情報通告プロトコル（ＳＮＭＰ　ＴＲＡＰ）による通知パケットで、監視サーバへ通知する警報情報送信手段とを備え、前記監視サーバは、管理情報通告プロトコル（ＳＮＭＰ　ＴＲＡＰ）による通知パケットの送信元ＩＰアドレスを基に、警報情報を発した被監視装置を識別することを特徴とする。
【００１１】
また、（２）前記各被監視装置から収集した各監視項目の警報情報を、論理和演算により代表警報情報に集約する警報情報集約手段と、該集約した代表警報情報を管理情報データベース（ＭＩＢ）　に変換し、前記管理情報通告プロトコル（ＳＮＭＰ　ＴＲＡＰ）により、代表警報情報を前記監視サーバへ通知する警報情報送信手段とを備えたものである。
【００１２】
また、（３）前記論理和演算により代表警報情報に集約される各被監視装置の監視項目の警報情報に状態変化が発生したことを検出する警報情報状態変化検出手段と、該警報情報状態変化検出手段により検出した各被監視装置の監視項目の警報情報に状態変化の情報を、前記監視サーバへ通知する警報情報状態変化通知手段とを備えたものである。
【００１３】
また、（４）前記警報情報集約手段は、各被監視装置から収集される各監視項目の警報情報を一定時間に亙って記憶保持し、該一定時間に亙って記憶保持した各監視項目の警報情報を論理和演算により代表警報情報に集約し、警報情報送信手段は、該集約された代表警報情報を１メッセージの管理情報通告プロトコル（ＳＮＭＰ　ＴＲＡＰ）によるパケットで通知する構成を有するものである。
【００１４】
また、（５）前記警報情報状態変化検出手段は、各被監視装置の監視項目の警報情報の状態変化を一定時間に亙って記憶保持し、該一定時間に亙って記憶保持した状態変化の情報を論理和演算により集約し、前記警報情報状態変化通知手段は、該集約した状態変化の情報を通知する構成を有するものである。
【００１５】
また、（６）前記被監視装置毎に又はその種別毎に、前記管理情報通告プロトコル（ＳＮＭＰ　ＴＲＡＰ）による通知先を、それぞれ異なる監視サーバに設定する手段を備えたものである。
【００１６】
【発明の実施の形態】
図１に本発明のネットワーク監視システムの全体構成を示す。同図において、１−１は監視サーバ（ＳＮＭＰマネージャ）、１−２はＳＮＭＰ変換装置、１−３はそれぞれシステムを構成する伝送装置や通信装置から成る被監視装置（被監視ノード）であり、監視サーバ（ＳＮＭＰマネージャ）１−１とＳＮＭＰ変換装置１−２とは、ローカルエリアネットワーク（ＬＡＮ）等のネットワークを介して接続される。
【００１７】
ＳＮＭＰ変換装置１−２の配下には、それぞれ独自のインタフェースにより監視・管理される複数のシステム（システム＃１、システム＃２、・・・）の装置が、被監視装置１−３として設置される。被監視装置１−３で発生した警報情報は、接点オン／オフ情報（ビット情報）としてＳＮＭＰ変換装置１−２により収集される。
【００１８】
ＳＮＭＰ変換装置１−２は、各被監視装置１−３からの警報情報（接点オン／オフ情報）を、管理情報データベース（ＭＩＢ：Ｍａｎａｇｅｍｅｎｔ　Ｉｎｆｏｒｍａｔｉｏｎ　Ｂａｓｅ　）情報に変換し、該情報を、標準化された管理情報通告プロトコル（ＳＮＭＰ　ＴＲＡＰ）により監視サーバ（ＳＮＭＰマネージャ）１−１へ通知する。
【００１９】
図２にＳＮＭＰ変換装置１−２内の各処理部を示す。ＳＮＭＰ変換装置１−２は、状態変化検出部２−１において、各被監視装置１−３から収集した各警報情報（接点オン／オフ情報）を基に、被監視装置１−３の状態変化を検出する。状態変化を検出した場合は、代表警報変換部２−２において、各警報情報（接点オン／オフ情報）を論理和集約して代表警報情報に変換する処理を行う。
【００２０】
図３にＳＮＭＰ変換装置１−２における論理和集約処理の概要を示す。同図の（ａ）は代表警報情報のビット列を示し、同図の（ｂ）は各被監視装置１−３から収集した警報情報（接点オン／オフ情報）のビット列を示している。図３（ａ）の代表警報情報の各ビットは、図３（ｂ）の警報情報（接点オン／オフ情報）のビットを複数個まとめて、重故障、軽故障等の種類別に論理和演算を行って集約した論理値を格納する。
【００２１】
ＳＮＭＰ変換装置１−２は、被監視装置１−３からの各警報情報（接点オン／オフ情報）を論理和演算により集約した代表警報情報を、ＳＮＭＰのプロトコルの管理情報データベース（ＭＩＢ）に変換し、管理情報通告プロトコル（ＳＮＭＰ　ＴＲＡＰ）により、監視サーバ（ＳＮＭＰマネージャ）１−１へ通知する。
【００２２】
ＳＮＭＰ変換装置１−２において、管理情報データベース（ＭＩＢ）　は、代表警報情報のビット数分を定義すればよく、被監視装置のシステム毎に異なる管理情報データベース（ＭＩＢ）　の定義の差異を最少限とすることができ、管理情報データベース（ＭＩＢ）　の管理・保守が容易なものとなる。
【００２３】
ＳＮＭＰ変換装置１−２は、代表警報情報に状態変化が発生したことを検出すると、管理情報通告プロトコル（ＳＮＭＰ　ＴＲＡＰ）による通知パケットを送信する。管理情報通告プロトコル（ＳＮＭＰ　ＴＲＡＰ）による通知パケットを送信した後は、一定時間、警報情報（接点オン／オフ情報）の論理和集約処理を行い、該論理和集約処理が完了した後に、再度、管理情報通告プロトコル（ＳＮＭＰ　ＴＲＡＰ）による通知パケットを送信することにより、連続した管理情報通告プロトコル（ＳＮＭＰ　ＴＲＡＰ）による通知パケットの多発を抑制する。
【００２４】
図４に代表警報情報の集約処理のシーケンスを示す。同図に示すように、第１の代表警報情報＃１に状態変化が発生し、第１の代表警報情報＃１を送信（ＳＮＭＰ　ＴＲＡＰ１）した後、次周期の集約処理４−１の処理時間Ｔ内において、状態変化により第２の代表警報情報＃２及びその直後の状態変化による第３の代表警報情報＃３が生起した場合は、この周期の集約処理４−１の処理完了後に、第２及び第３の代表警報情報＃２，＃３を合わせた１メッセージの代表警報情報を送信する（ＳＮＭＰ　ＴＲＡＰ２）。
【００２５】
また、同一の被監視装置１−３から連続して警報情報の状態変化が収集された場合、集約処理中に収集した警報情報は、集約処理後に１メッセージの代表警報情報として管理情報通告プロトコル（ＳＮＭＰ　ＴＲＡＰ）により送信する。従って、瞬時的な「警報発生」→　「警報復旧」→「警報発生」・・・のような警報情報の状態変化が有った場合は、論理和処理により「発生」を示す１メッセージの代表警報情報を送信する。
【００２６】
管理情報通告プロトコル（ＳＮＭＰ　ＴＲＡＰ）により代表警報情報＃２，＃３を送信した後、ＳＮＭＰ変換装置１−２は、再び、各被監視装置１−３からの警報情報（接点オン／オフ情報）の論理和集約処理（４−２）を行う。警報情報（接点オン／オフ情報）の集約処理の完了後、新たな状態変化により通知すべき代表警報情報が無い場合は、代表警報情報の送信は行わない。
【００２７】
警報情報（接点オン／オフ情報）を論理和演算して代表警報情報に集約することにより、例えば、同一の代表警報情報による監視対象項目において、複数の監視項目の警報が発生した場合、その内の１つの監視対象項目が復旧しても、論理和演算結果は警報発生の状態のままであるため、集約された代表警報情報からは、その監視対象項目の一部の発生した状態変化を上位システム側では検出することができないといったことが起こり得るが、これを回避するために、警報情報の種別として「警報発生」、「警報復旧」の他に「状態変化有り」の通知を管理し、代表警報情報として状態変化が無い場合でも、監視項目に状態変化が発生した場合は「状態変化有り」の通知をを監視サーバ（ＳＮＭＰマネージャ）１−１へ管理情報通告プロトコル（ＳＮＭＰ　ＴＲＡＰ）により通知する。
【００２８】
この「状態変化有り」の通知の動作について図５を参照して説明する。図５において、（ａ）は代表警報情報のビット列を、（ｂ）は各被監視装置から収集した警報情報（接点オン／オフ情報）のビット列を示す。図５（ｂ）に示す警報情報（接点オン／オフ情報）の第１ビット（ＢＩＴ＃１）が“１”であることにより、既に警報発生中の代表警報情報＃１において、新たに警報情報（接点オン／オフ情報）の第３ビット（ＢＩＴ＃３）に警報（“１”）が発生した場合、これらの警報ビット列（ＢＩＴ＃１，ＢＩＴ＃３を含むビット列）を論理和により集約した代表警報情報の第１ビットは、接点情報の第３ビット（ＢＩＴ＃３）の警報発生前後で変化せず、既に警報発生中の代表警報情報＃１のままであるため、代表警報の通知は行われない。
【００２９】
このような場合は、代表警報情報＃１内の監視項目において状態変化が発生したことを監視サーバ（ＳＮＭＰマネージャ）１−１へ通知するため、警報情報に「状態変化有り」の旨を示す情報を、管理情報通告プロトコル（ＳＮＭＰ　ＴＲＡＰ）により送信する。
【００３０】
図６に状態変化の監視処理のシーケンスを示す。代表警報情報内の監視項目に状態変化が発生したことを検出すると、該状態変化の通知（ＳＮＭＰ　ＴＲＡＰ１）を送信し、該状態変化の通知後は、警報情報（接点オン／オフ情報）の状態変化を、所定監視時間Ｔの間、監視し（６−１）、該所定監視時間Ｔの間に状態変化が有った場合は、該所定監視時間Ｔの監視完了後に、該状態変化の通知（ＳＮＭＰ　ＴＲＡＰ２）を送信する。状態変化が無かった場合は、状態変化の通知を送信することなく、次周期の状態変化の監視処理６−２を開始する。この場合も、全ての状態変化を通知するのではなく、所定時間毎に状態変化を通知することにより、管理情報通告プロトコル（ＳＮＭＰ　ＴＲＡＰ）による通知パケットの多発を抑制することができる。
【００３１】
ＳＮＭＰ変換装置１−２は、論理和集約を行った代表警報情報により、管理情報データベース（ＭＩＢ：Ｍａｎａｇｅｍｅｎｔ　Ｉｎｆｏｒｍａｔｉｏｎ　Ｂａｓｅ　）情報を更新し、“ＳＮＭＰ　ＴＲＡＰ”送信部２−３において、各被監視装置１−３に割り当てたＩＰアドレスを送信元ＩＰアドレスとして使用し、管理情報通告プロトコル（ＳＮＭＰ　ＴＲＡＰ）により、管理情報データベース（ＭＩＢ）情報を監視サーバ（ＳＮＭＰマネージャ）１−１へ送信する。
【００３２】
次に、図７を参照してＳＮＭＰ変換装置１−２におけるＩＰアドレス管理について説明する。ＳＮＭＰ変換装置１−２は、その配下の被監視装置（被監視ノード）１−３の設置台数分のＩＰアドレスを管理する。そして、被監視装置１−３から収集した警報情報（接点オン／オフ情報）を、管理情報通告プロトコル（ＳＮＭＰ　ＴＲＡＰ）による送信パケットで、監視サーバ（ＳＮＭＰマネージャ）１−１へ通知する際に、それぞれの被監視装置１−３に割り当てたＩＰアドレスを、送信元ＩＰアドレスとして監視サーバ（ＳＮＭＰマネージャ）１−１へ送信する。
【００３３】
管理情報通告プロトコル（ＳＮＭＰ　ＴＲＡＰ）による送信パケットを受けた監視サーバ（ＳＮＭＰマネージャ）１−１は、警報情報を発した被監視装置１−３の識別を、特別な処理によって行う手段を設けることなく、管理情報通告プロトコル（ＳＮＭＰ　ＴＲＡＰ）のパケット内の送信元ＩＰアドレスを参照することにより、該被監視装置１−３を識別することが可能となる。
【００３４】
次に、複数の監視サーバ（ＳＮＭＰマネージャ）を有するネットワーク監視システムの実施例について図８を参照して説明する。この実施例において、ＳＮＭＰ変換装置１−２の配下には、第１のシステム＃１を構成する第１の被監視装置１−３１，第２のシステム＃２を構成する第２の被監視装置１−３２が接続され。
【００３５】
また、ＳＮＭＰ変換装置１−２には、ローカルエリアネットワーク（ＬＡＮ）を介して、第１の監視サーバ（ＳＮＭＰマネージャ）１−１１、第２の監視サーバ（ＳＮＭＰマネージャ）１−１２が接続される。ＳＮＭＰ変換装置１−２は、配下に接続される被監視装置１−３１，１−３２毎に又はその種別毎に、管理情報通告プロトコル（ＳＮＭＰ　ＴＲＡＰ）の送信先、即ち監視サーバ（ＳＮＭＰマネージャ）のＩＰアドレスを設定する。
【００３６】
第１のシステム＃１内の被監視装置１−３１から収集した警報情報（接点オン／オフ情報）は、例えば、第１の監複サーバ１−１１に管理情報通告プロトコル（ＳＮＭＰ　ＴＲＡＰ）により通知し、第２のシステム＃２内の被監視装置１−３２から収集した警報情報（接点オン／オフ情報）は、第２の監視サーバ（ＳＮＭＰマネージャ）１−１２に管理情報通告プロトコル（ＳＮＭＰ　ＴＲＡＰ）により通知する。こうすることにより、被監視装置の種別毎に監視サーバ（ＳＮＭＰマネージャ）を分散させたい場合など、実際のネットワーク監視システムの運用情況に合わせた監視・管理に柔軟に対応することが可能となる。
【００３７】
【発明の効果】
以上説明したように、本発明によれば、通信ネットワークにおける各伝送装置等の各被監視装置の警報情報（接点オン／オフ情報）を収集し、その状態変化を含む情報を、管理情報データベース（ＭＩＢ）に変換し、管理情報通告プロトコル（ＳＮＭＰ　ＴＲＡＰ）により、監視サーバ（ＳＮＭＰマネージャ）へ通知するＳＮＭＰ変換装置を備えたことにより、通信ネットワークの監視・管理を統合化し、既存のＳＮＭＰを用いたネットワーク管理システムに容易に取り込むことができ、警報の発生情報を迅速に通知することができる。
【００３８】
また、各被監視装置毎に異なるＩＰアドレスを送信元ＩＰアドレスに設定して管理情報通告プロトコル（ＳＮＭＰ　ＴＲＡＰ）により警報情報を送信するＳＮＭＰ変換装置を備えたことにより、監視サーバ（ＳＮＭＰマネージャ）は、警報情報を発した被監視装置を識別するための機構を別途講ずることなく、該送信元ＩＰアドレスから直ちに識別することができる。
【００３９】
また、各被監視装置の警報情報（接点オン／オフ情報）を論理和演算により代表警報情報に集約し、該代表警報情報を管理情報データベース（ＭＩＢ）に変換することにより、管理情報データベース（ＭＩＢ）　の定義が簡素化され、また、一定時間毎の警報情報及び状態変化情報を論理和演算により集約することにより、通告プロトコル（ＳＮＭＰ　ＴＲＡＰ）による通知パケットの多発を抑制し、ネットワーク上のトラフィック及び監視サーバ（ＳＮＭＰマネージャ）の処理負担を軽減することができる。
【００４０】
また、管理情報通告プロトコル（ＳＮＭＰ　ＴＲＡＰ）による警報の通知先を、被監視装置毎に又はその種別毎に設定可能にすることにより、通信ネットワークの監視・管理の拡張性が広がり、監視サーバ（ＳＮＭＰマネージャ）を分散設置するなど、通信ネットワークの運用状況に適した監視システムをを柔軟に構築することができる。
【図面の簡単な説明】
【図１】本発明のネットワーク監視システムの全体構成を示す図である。
【図２】ＳＮＭＰ変換装置内の各処理部を示す図である。
【図３】ＳＮＭＰ変換装置における論理和集約処理を示す図である。
【図４】代表警報情報の集約処理のシーケンスを示す図である。
【図５】「状態変化有り」の通知動作を示す図である。
【図６】状態変化の監視処理のシーケンスを示す図である。
【図７】ＳＮＭＰ変換装置におけるＩＰアドレス管理を示す図である。
【図８】複数の監視サーバを有する通信ネットワーク監視システムの例を示す図である。
【符号の説明】
１−１　監視サーバ（ＳＮＭＰマネージャ）
１−２　ＳＮＭＰ変換装置
１−３　被監視装置（被監視ノード）
ＬＡＮ　ローカルエリアネットワーク
【図１】
2004086522.tif 000003
【図２】
2004086522.tif 000004
【図３】
2004086522.tif 000005
【図４】
2004086522.tif 000006
【図５】
2004086522.tif 000007
【図６】
2004086522.tif 000008
【図７】
2004086522.tif 000009
【図８】
2004086522.tif 000010